(57)【要約】【課題】従来のメータ直結止水栓は、単純に止水、通水だけを行うものが用いられ、メータ管理に問題があったほか、逆止弁は２次側に別に設定して余計な面間距離を要し、排水孔通水路開閉部に設定されたＯリングの故障等により水漏れが発生した場合、部品交換や修理に多大な時間と手間を要する問題がある。【解決手段】通水路を開閉するボールバルブ２の上部に弁室３を設け、同弁室内にストレーナ６１を付設した案内枠６を嵌装して内部に浮動弁体５を収容し、その上部に案内枠内を上下作動して上部から浮動弁体の動作範囲を規制する栓棒４を設け、止水栓本体の２次側端を水道用メータとの直結接合構造に構成した。【選択図】図１
2007255059.tif 000002
【特許請求の範囲】
【請求項１】
回動操作によって通水路を開閉するボールバルブの上部に弁室を設け、同弁室内にストレーナを付設した案内枠を嵌装して内部に浮動弁体を収容すると共に、その上部に同案内枠を挿通して案内枠内を上下作動してその上部から浮動弁体の動作範囲を規制する栓棒を設け、止水栓本体の２次側端を水道用メータとの直結接合構造に構成したことを特徴とするメータ直結止水栓
【請求項２】
浮動弁体を案内枠の内径に沿った円筒部の下端を円錐状に形成して構成し、案内枠の外壁部に設けた嵌合突起と弁室内壁部に設けた嵌合凹部が嵌合させ、案内枠と弁室とを着脱可能な嵌合構造に構成するようにした請求項１記載のメータ直結止水栓
【請求項３】
ストレーナを、柔軟素材による弁座枠にスクリーンを張設して構成し、案内枠の先端に着脱可能に着合して構成するようにした請求項１又は請求項２記載のメータ直結止水栓
【請求項４】
栓棒の先端に、浮動弁体の尾端との接触を緩衝する緩衝材を付設するようにした請求項１又は請求項２又は請求項３記載のメータ直結止水栓
【請求項５】
通水路開閉用のボールバルブを収容する弁室の側部に、一端がボールバルブの回動操作部に接合し、他端が挿入口から挿入されるハンドルキーの嵌合凹部に嵌入してハンドルキーによるボールバルブの回動を可能にする嵌合凸部に構成された回動軸を装嵌するハンドルキー挿入孔を設けると共に、その内壁に、ハンドルキーに設定された案内キー溝に嵌合してハンドルキーの回動操作を規制するガイドピンを突設し、止水方向に回動操作できる案内キー溝のみを設けたハンドルキーと、止水方向と通水方向の双方に回動操作できる案内キー溝を設けたハンドルキーを設けることにより、段階的にメータ管理を行えるようにした請求項１又は請求項２又は請求項３又は請求項４記載のメータ直結止水栓
【発明の詳細な説明】
【技術分野】
【０００１】
本発明は、水道用メータの１次側端部に着合して配管への給配止水、逆流防止、異物濾過、流量調整、更に、段階的に止水、通水の権限を分担させてメータの管理をも行えるようにしたメータ直結止水栓に関するものである。
【背景技術】
【０００２】
従来、水道用メータを設置する際には１次側端部に止水栓を取付け、メータを挟んで２次側端部に逆止弁を取付ける方法が採られてきたが、メータを収納して埋設等を行う収納容器の長さに限界があるため、この配設には出来る限り面間距離を短くすることが必要とされてきている。
【０００３】
そのため、逆止弁については例えば特許文献１に記載されるようにカートリッジ式のものが用いられ、止水栓についても特許文献２に記載されるような上部のハンドル栓を回動して簡単に止水、通水を行えるものが用いられ、余り複雑な機構を備えたものを用いることはできなかった。一方、独立した単体の止水栓については特許文献３に記載されるように逆止弁を一体に備えた止水栓、特許文献４に記載されるように逆止弁とストレーナを一体に備えた止水栓も存在する。
【特許文献１】特開２００２−３２７８６３号公報
【特許文献２】特開２００２−１３１０９７号公報
【特許文献３】特開平０７−２８０１１４号公報
【特許文献４】特開平０６−１２９５５２号公報
【発明の開示】
【発明が解決しようとする課題】
【０００４】
しかしながら、水道用メータの設置は本管から分水される配水支管に設置されるものであり、本管からの距離の遠近によって給水圧に差がありメータの設置部において流量調整を行うことにより給水圧の調整を行うことが望まれるが、上記単体の止水栓についてもこれに対する対応がなされていない問題がある。
【０００５】
また、水道用メータ２次側から逆流に対応する逆止弁を浮動弁体によっているため、球形等弁体の形状によって止水弁座への確実な着座を期し難く、弁室内に侵入するゴミの噛み込み等と相まって浮動弁体の円滑な作動が阻害される故障が多く、特に、本願発明においてはストレーナ機能を併存させる場合には濾過物除去の必要からも逆止弁部材の迅速な交換が求められる。
【０００６】
従来、メータに直結付設された止水栓は、１次側に付設される関係もあって、前記特許文献２に記載されるように上部のハンドル栓を回動して簡単に止水、通水を行えるようになっていた。しかし、水道用メータの管理は、地方公共団体等の水道事業者や水道工事施工業者等によって段階的に行われており、止水、通水が勝手に行われてはメータ管理の意味をなさない。
【課題を解決するための手段】
【０００７】
本発明は上記した問題点に対応しようとするものであり、通水路を開閉するボールバルブの上部に弁室を設け、同弁室内にストレーナを付設した案内枠を設定して内部に浮動弁体を収容すると共に、弁室内を上下作動して浮動弁体の動作範囲を規制する栓棒を設け、栓棒の操作により流量調整を行えるようにした。
【０００８】
即ち、止水開閉機構の構造要部であるボールバルブの上部に弁室を設け、弁室内に逆流を防止する浮動弁体を設定する逆流防止止水栓の構成を基本とするが、浮動弁体をストレーナを付設した案内枠内に収容して案内枠によって浮動弁体の作動範囲を規制すると共に、その上部に回動操作によって弁室内を上下作動する栓棒を設定して浮動弁体の頂部を栓棒の先端によって押圧して給水圧による浮動弁体の浮力を強制的に規制して流量調整を行うようにした。
【０００９】
また、浮動弁体を案内枠の内径に沿った円筒部の下端を円錐状に形成して構成し、案内枠の外壁部に設けた嵌合突起と弁室内壁部に設けた嵌合凹部が嵌合させ、案内枠と弁室とを着脱可能な嵌合構造による逆止弁ユニットに構成して部材の迅速な交換、修理に対応した。
【００１０】
更に、ストレーナを、柔軟素材による弁座枠にスクリーンを張設して構成し、案内枠の先端に着脱可能に着合して構成し、案内枠と切り離して弁座枠だけの交換を可能とし砂やゴミの侵入によって摩耗し易いストレーナを簡単に取り替えられるようにした。
【００１１】
次に、栓棒の先端に、浮動弁体の尾端との接触を緩衝する緩衝材を付設することにより、本願発明において流量規制のために設定した栓棒の先端が浮動弁体の頂部に面接触して発生する軋み音を消し、面接触の密着性を促進して栓棒による流量調整の操作を円滑に行えるようにした。
【００１２】
次いで、通水路開閉用のボールバルブを収容する弁室の側部に、一端がボールバルブの回動操作部に接合し、他端が挿入口から挿入されるハンドルキーの嵌合凹部に嵌入してハンドルキーによるボールバルブの回動を可能にする嵌合凸部に構成された回動軸を装嵌するハンドルキー挿入孔を設けると共に、その内壁に、ハンドルキーに設定された案内キー溝に嵌合してハンドルキーの回動操作を規制するガイドピンを突設し、止水方向に回動操作できる案内キー溝のみを設けたハンドルキーと、止水方向と通水方向の双方に回動操作できる案内キー溝を設けたハンドルキーを設けることにより、段階的にメータ管理を行えるようにした。
【実施例】
【００１３】
以下、図面を参照して本発明の実施例を説明する。１は止水栓本体で、本管から分水される配水支管との接合口１１からの給水は、ボールバルブ２の通水路２１を通り、逆止弁室３に嵌合された逆止弁ユニットを通って水道用メータの１次側端部との接合構造部１３に至る通水路１２を形成する本胴部１ａと栓棒支持胴１ｂからなっている。なお、図示では水道用メータとの接合構造部１３は袋ナット１５による接合構造となっているが、ホルダー体による押圧接合構造としても良いことは勿論である。
【００１４】
栓棒支持胴１ｂは、本胴部１ａの上部に着脱可能に螺合し、内壁に刻設された雌螺子１４と栓棒４の雄螺子４１を螺合させて、栓棒４を支持すると共に弁室３に対して栓棒４を螺進退させる。栓棒４の先端４２には合成樹脂等の柔軟素材による緩衝材４３が装着され、栓棒４が下降して浮動弁体５の尾端５１に着接して回動しても打接音や軋み音が発生しないようになっている。
【００１５】
本胴部１ａの下端部には、切換弁室２２が形成され、通止水を切り替える通水路２１を備えたボールバルブ２が回動可能に収容され、弁室２２の側部に設けられた挿入口２３からハンドルキーＡを挿入してボールバルブ２との嵌合回動軸２４を介してボールバルブ２を回動することにより通水状態と止水状態が切り換えられるようになっている。
【００１６】
ハンドルキーＡは水道メータの管理上、特定人のみが所持し通水も止水も可能なハンドルキーＡａと、止水のみが可能なハンドルキーＡｂの２種類が用意され（必要があれば、通水のみが可能なハンドルキーも用意できる。）、水道利用者等がバルブ操作を行って盗水等の不正が行われないようにハンドルキーの管理を行うことができる。
【００１７】
即ち、ハンドルキーＡａは図５、６に示すように、挿入口２３に設定されたガイドピン２５に嵌合して挿入位置と回動方向を規制される案内キー溝が２６ａと２６ｂの２ケ所に設定されており、２６ａの案内キー溝をピン２５に嵌合させるとボールバルブ２は止水方向にしか回動できない。
【００１８】
２６ｂの案内キー溝をピン２５に嵌合させるとボールバルブ２は通水方向にしか回動できない。従って、水道利用者や工事関係者は２６ａの案内キー溝しか設定されていないハンドルキーＡｂを所持して水洩れ発生時や工事開始時に１次側で止水して、メータの進行を止め、水洩れ解消や工事完了時に管理者に依頼してハンドルキーＡａによりバルブ２を開栓して通水して貰うものである。
なお、挿入口２３は、常時は雄螺子２３ａと螺合するキャップ２７によって覆蓋されている。
【００１９】
切換弁室２２の上部は逆止弁室３となっており、逆止弁室３には内部に浮動弁体５を収容し、ストレーナ６１を付設した案内枠６が嵌装され、案内枠６によって浮動弁体５の作動範囲を規制すると共に、その上部に回動操作によって弁室３内を上下作動する栓棒４が設定されている。
【００２０】
栓棒４は、栓棒支持胴１ｂの雌螺子１４との螺進退によって上下作動し、最終的には浮動弁体５の先端５ｂを、案内枠６の下端に嵌装される逆止弁座６２に着接させ、切換弁室２２と逆止弁室３との間の通水を止水する。
【００２１】
浮動弁体５は案内枠６の内径に沿った円筒部５ａと円錐状に形成された下端部５ｂからなっており、円筒部５ａが案内枠６の枠壁に摺接し円錐状の下端部５ｂが柔軟素材による弁座６２に着接するようになっているので、浮動弁体５の作動は正確な案内規制によって円滑に行われる。
【００２２】
栓棒４が回動操作によって下降すると、先端４２が緩衝材４３を介して浮動弁体５の尾端５１に着接し、下部弁室２２からの水圧による浮力に抗して弁体５を押し下げるので、案内枠６の側壁部に形成されている通水路６３が順次閉塞され、メータに通水する流量が減少する。
【００２３】
流量が減少して適切な水量を得られない場合には、栓棒４を上昇させると弁体５が押し上げられ、通水路６３が順次開放され、メータに通水する流量が増加するので、栓棒４の回動操作により案内枠６内の弁体５の位置を調整して、送水圧に対応した流量に調整するようになっている。
【００２４】
案内枠６は合成樹脂等の素材により、上枠６ａと下枠６ｂを適宜の支持柱６４で連結し、円筒状に構成したもので、支持柱と支持柱の間が通水路６３を形成し、支持柱外側の適宜箇所には弁室３の案内枠嵌入口に設けられた嵌合凹部と嵌合する嵌合突起６５が設けられている。下枠６ｂの下端部はゴム等の柔軟素材による逆止弁座６２の上面との嵌合構造となっており、逆止弁座６２を着脱可能に嵌合する。
【００２５】
逆止弁座６２は上記のように、その上面が案内枠下枠６ｂとの嵌合構造となっており、下面はストレーナ６１を構成する金網等による濾過スクリーンを嵌入する嵌合構造となっている。なお、案内枠に設定するストレーナは上記の構成に限らず、案内枠側壁の通水路部に濾過スクリーンを張設して設定しても良い。
【００２６】
本発明は以上のように構成したので、従来、メータに直接設けられた止水栓とは別に管理用の止水栓、逆止弁、ストレーナ、流量調整機構等を設ける必要があったのに対して本願発明による止水栓だけによって全て対応でき、部品交換や修理についても簡易迅速に対応することができたものである。
【図面の簡単な説明】
【００２７】
【図１】本発明によるメータ直結止水栓の実施例を示すもので、全体を縦断面とした全体構造正面図である。
【図２】同じく、左半分を内部構造を示す縦断面、右半分を外観図として示した図１の右側面図である。
【図３】同じく、図１における栓棒を下降させた状况を示す全体構造正面図である。
【図４】同じく、逆止弁室に嵌入された案内枠の状况を示す部分拡大縦断面図である。
【図５】同じく、本発明によるメータ直結止水栓の通止水切り換え弁回動用ハンドルキーの正面図である。
【図６】同じく、通止水の両方を行える切り換え弁回動用ハンドルキーの底面図である。
【図７】同じく、止水のみをを行う切り換え弁回動用ハンドルキーの底面図である。
【図８】同じく、図６のハンドルキーの右側面図である。
【図９】同じく、図７のハンドルキーの右側面図である。
【図１０】同じく、本発明による直結止水栓を水道用メータに直結させた状况を示す要部を断面とした全体図である。
【符号の説明】
【００２８】
１      止水栓本体
１ａ      止水栓本体の本胴部
１ｂ      止水栓本体の栓棒支持胴
１１      止水栓本体の配水支管との接合口
１２      水道用メータとの接合構造部に至る通水路
１３      水道用メータとの接合構造部
１４      栓棒支持胴の栓棒螺合雌螺子
１５      袋ナット
２      切換ボールバルブ
２１      ボールバルブの通水路
２２      切換弁室
２３      ハンドルキー挿入口
２３ａ      挿入口を覆蓋するキャップを螺合する雄螺子
２４      ボールバルブとハンドルキーとの嵌合回動軸
２５      挿入口を覆蓋するキャップ
２６ａ      止水方向のみに回動方向を規制する案内キー溝
２６ｂ      通水方向のみに回動方向を規制する案内キー溝
２７      ガイドピン
３      逆止弁室
４      栓棒
４１      栓棒の雄螺子
４２      栓棒の先端
４３      栓棒の先端の緩衝材
５      浮動弁体
５ａ      浮動弁体の円筒部
５ｂ      浮動弁体の円錐状下端部
５１      浮動弁体の尾端
６      浮動弁体案内枠
６ａ      案内枠の上枠
６ｂ      案内枠の下枠
６１      ストレーナ
６２      逆止弁座
６３      案内枠の通水路
６４      案内枠の連結支持柱
６５      案内枠の嵌合突起
Ａ      ハンドルキー
Ａａ      通水も止水も可能なハンドルキー
Ａｂ      止水のみが可能なハンドルキー
Ｍ      水道用メータ
【図１】
2007255059.tif 000003
【図２】
2007255059.tif 000004
【図３】
2007255059.tif 000005
【図４】
2007255059.tif 000006
【図５】
2007255059.tif 000007
【図６】
2007255059.tif 000008
【図７】
2007255059.tif 000009
【図８】
2007255059.tif 000010
【図９】
2007255059.tif 000011
【図１０】
2007255059.tif 000012